(57)【特許請求の範囲】
【請求項１】
固定可能なベース板（２）と、
前記ベース板に支持されてそのベース板の外側へ向けられたＬＥＤ（３）と、
前記ベース板に装着されてそのベース板および前記ＬＥＤを覆う平板状のカバー（４）と、
を具える通路灯（１）において、
前記ＬＥＤは、１個、または前記カバーの厚さ方向の並びを列とし前記カバーの幅方向の並びを行とした場合に１列かつ複数行となる配置で複数個、前記カバーの一端部の内側に配置され、
前記カバーは、前記ＬＥＤの正面側に位置する透光部分（４ｄ）と、前記ＬＥＤの側方から後側の部分を覆う表示板部分（４ｅ）と、を有し、
前記表示板部分は、半透明部分（４ｆ）および不透明部分（４ｇ）を持ち、
前記半透明部分と前記不透明部分との境界は、所定の表示形状の輪郭を持ち、
前記半透明部分は、前記ＬＥＤからの光の一部を透過させるものであり、
当該通路灯（１）は、全体の厚さが１０ｍｍ以下の平板状をなしていることを特徴とする通路灯。
【請求項２】
前記カバー（４）は、透明なプラスチックから形成され、
前記透光部分（４ｄ）は透明なままにされ、
前記半透明部分（４ｆ）は半透明となるよう表面処理され、
前記不透明部分（４ｇ）は不透明となるよう表面処理されていることを特長とする、請求項１記載の通路灯。
【請求項３】
前記カバー（４）は、透明なプラスチックおよび不透明なプラスチックから形成され、
前記透光部分（４ｄ）は透明なプラスチックで形成され、
前記半透明部分（４ｆ）は透明なプラスチックで形成されて半透明となるよう表面処理され、
前記不透明部分（４ｇ）は不透明なプラスチックで形成されていることを特長とする、請求項１記載の通路灯。
【請求項４】
前記透光部分（４ｄ）は、透明なプラスチックで形成される代わりに開口部とされていることを特長とする、請求項２または３記載の通路灯。
【請求項５】
前記通路灯は、客席誘導灯（１）であり、
前記所定の表示形状は、列番号であることを特長とする、請求項１から４までの何れか１項記載の通路灯。
【発明の詳細な説明】
【技術分野】
【０００１】
この発明は、劇場等の通路に面する客席となる椅子の脇等に設置されて通路を照明する通路灯に関するものである。
【背景技術】
【０００２】
従来の上述の如き通路灯としては例えば、図５（ａ），（ｂ）に示す如き客席誘導灯が知られており（非特許文献１参照）、図中符号１１で示すこの客席誘導灯は、劇場等の通路に面する客席となる椅子Ｃの脚部Ｌの脇に取り付けられる器具ベース１２と、その器具ベース１２に下向きに固定されたソケット１３と、そのソケット１３に装着された光源としての小型電球１４と、それら器具ベース１２とソケット１３と小型電球１４とを覆うとともに下部に開口部１５ａを有するカバー１５とを具えている。
【先行技術文献】
【特許文献】
【０００３】
【非特許文献１】東芝ライテック株式会社  施設・屋外照明カタログ2009〜2010(2009.6)中の客席誘導灯（電源別置型５Ｗ）（http://page.cextension.jp/c3053/pageview/pdf/0481.pdf）
【発明の概要】
【発明が解決しようとする課題】
【０００４】
ところでこの従来の客席誘導灯１１は、小型電球１４自体がある程度大きいことから、それを収容するカバー１５も大きくなり、その厚み（椅子正面から見た場合、幅）が比較的大きいため、客席となる椅子Ｃの脇に取り付けた際、その椅子Ｃの脚部Ｌの上端に設ける肘を幅広にしないとそこからはみ出して、肘幅よりも通路側に突出した状態になってしまうことから、椅子の脚部等の設計の自由度を過大に制約するという問題があった。
【０００５】
しかしながら、劇場等の部屋の内で避難安全上必要な通路幅を確保すると、残りが椅子を設置するための幅寸法となるので、通路灯を含む肘幅を大きくすると、その内側の着席部（背や座）の幅は必然的に狭くなってしまい、快適なスペースを充分確保できなくなるという問題があった。
【０００６】
また、通路に面する客席となる椅子Ｃの脇には列番号表示板Ｐを設ける場合があるが、このような列番号表示板Ｐは、従来は照明がなく、しかも客席誘導灯１１との干渉を避けるためにあまり大きくできないことから、視認性が充分良好でないという問題があった。
【０００７】
そしてこれらの問題の解決のため、椅子Ｃの脚部Ｌに開口部を設けてそこに客席誘導灯１１を埋設しようとすると、通常の設置位置では、椅子Ｃの座部を跳上げ可能に支持する支持構体Ｓと干渉してしまうため、高い位置に設けざるを得ず、通路に到達する照明光が弱まるとともに拡散し過ぎて好ましくないという問題が生ずる。
【課題を解決するための手段】
【０００８】
この発明は上記課題を有利に解決した通路灯を提供することを目的とするものであり、この発明の通路灯は、固定可能なベース板と、前記ベース板に支持されてそのベース板の外側へ向けられたＬＥＤ（発光ダイオード）と、前記ベース板に装着されてそのベース板および前記ＬＥＤを覆う平板状のカバーと、を具える通路灯において、前記ＬＥＤは、１個、または前記カバーの厚さ方向の並びを列とし前記カバーの幅方向の並びを行とした場合に１列かつ複数行となる配置で複数個、前記カバーの一端部の内側に配置され、前記カバーは、前記ＬＥＤの正面側に位置する透光部分と、前記ＬＥＤの側方から後側の部分を覆う表示板部分と、を有し、前記表示板部分は、半透明部分および不透明部分を持ち、前記半透明部分と前記不透明部分との境界は、所定の表示形状の輪郭を持ち、前記半透明部分は、前記ＬＥＤからの光の一部を透過させるものであり、当該通路灯は、全体の厚さが１０ｍｍ以下の平板状をなしていることを特徴とするものである。
【発明の効果】
【０００９】
かかるこの発明の通路灯によれば、客席誘導灯として椅子の脚部の脇に設ける場合に、ベース板を、そのベース板の外側へ向けられてカバーの一端部の内側に配置された１個または複数個のＬＥＤが通路に向くように椅子の脚部に固定し、平板状のカバーでそれらベース板およびＬＥＤを覆うことで、そのカバーの透光部分を通してＬＥＤからの光で通路を照明することができ、また、１個または、カバーの厚さ方向の並びを列としカバーの幅方向の並びを行とした場合に１列かつ複数行となる配置とされた幅数ｍｍの複数個の小さなＬＥＤを平板状のカバーで覆う構造により、当該通路灯が、全体の厚さが１０ｍｍ以下の平板状をなしており、その厚さを、特には８ｍｍ前後と極めて薄くできるため、椅子の脚部の上端の肘を幅広にしなくても通常の肘幅内に収まるので、椅子の脚部等の設計の自由度を過大に制約することがない。
【００１０】
また、そのカバーが、半透明部分および不透明部分を持つ表示板部分を有し、それら半透明部分と不透明部分との境界が、所定の表示形状の輪郭を持ち、その半透明部分が、ＬＥＤからカバーの厚みの内部やカバーの内側に入った光の一部を透過させることから、その表示形状で例えば数字や文字や記号やそれらの組み合わせからなる列番号を表示することで、当該通路灯が列番号表示板を兼ね、列番号表示板と客席誘導灯との干渉の問題がなくなるため、列番号表示板を適度に大きくでき、しかも半透明部分の光で列番号を照明表示できるので、列番号の視認性を向上させることができる。
【００１１】
なお、この発明の通路灯においては、前記カバーは、アクリルやポリカーボネート等の透明なプラスチックから形成され、前記透光部分は透明なままにされ、前記半透明部分は半透明となるよう印刷や粗面加工等で表面処理され、前記不透明部分は不透明となるよう印刷や塗装等で表面処理されていても良い。このようにすれば、射出成形等で半透明部分以外を透明に形成したカバー材料の不透明部分とする部分に印刷や塗装等を施すことで、容易にカバーを製造することができる。
【００１２】
また、この発明の通路灯においては、前記カバーは、透明なプラスチックおよび不透明なプラスチックから形成され、前記透光部分は透明なプラスチックで形成され、前記半透明部分は透明なプラスチックで形成されて半透明となるよう表面処理され、前記不透明部分は不透明なプラスチックで形成されていても良い。このようにすれば、不透明部分を形成する材料を、透光部分や半透明部分を形成する材料と異ならせることができるので、材料選択の自由度を高めることができる。ここで、これら透明なプラスチックおよび不透明なプラスチックの一体化は、例えばインサート射出成形等により行うことができる。
【００１３】
さらに、この発明の通路灯においては、前記透光部分は、透明なプラスチックで形成される代わりに開口部とされていても良い。このようにすれば、カバーのデザインの自由度を高めることができる。なお、この発明の通路灯におけるカバーの平面輪郭形状は、例えば一般的な矩形や円形、長円形、楕円形、多角形等の幾何学的形状の他、動植物等の自然物や自動車等の人工物の形状等、任意に選択することができる。
【００１４】
そして、この発明の通路灯においては、前記通路灯が客席誘導灯であり、前記所定の表示形状が、例えば数字や文字や記号やそれらの組み合わせからなる列番号であると、前述した課題を解決する効果を奏することができるので好ましいが、前記通路灯が例えば壁面等に設けられるものであって、前記表示形状が例えば出入口の方向等、列番号以外のものを示すものであっても、その薄さと視認性の高さとを生かせるので好ましい。
【図面の簡単な説明】
【００１５】
【図１】（ａ），（ｂ）は、この発明の通路灯の一実施例としての客席誘導灯を椅子の脚部の脇に装着した状態でその脚部とともに示す正面図および縦断面図である。
【図２】（ａ），（ｂ）および（ｃ）は、上記実施例の客席誘導灯のベース板を示す正面図、下面図および（ａ）のＡ−Ａ線に沿う縦断面図である。
【図３】（ａ），（ｂ）および（ｃ）は、上記実施例の客席誘導灯のＬＥＤ基板を示す正面図、下面図および側面図である。
【図４】（ａ），（ｂ）および（ｃ）は、上記実施例の客席誘導灯のカバーを示す正面図、下面図および側面図である。
【図５】（ａ），（ｂ）は、従来の客席誘導灯および列番号表示板を椅子の脚部の脇に装着した状態でその脚部とともに示す正面図および縦断面図である。
【発明を実施するための形態】
【００１６】
以下、この発明の実施の形態を図面に基づく実施例によって詳細に説明する。ここに、図１（ａ），（ｂ）は、この発明の通路灯の一実施例としての客席誘導灯を椅子の脚部の脇に装着した状態でその脚部とともに示す正面図および縦断面図であり、図中符号１は上記実施例の客席誘導灯を示している。
【００１７】
この実施例の客席誘導灯１は、劇場等の通路に面する客席となる椅子Ｃの脚部Ｌの脇に設置されてその通路を照明するものであり、ベース板２と、そのベース板２に支持されてそのベース板２の外側（図１では斜め下方）へ向いた複数のＬＥＤ（発光ダイオード）３と、ベース板２に装着されてそのベース板２および複数のＬＥＤ３を覆う概略正方形の平板状のカバー４とを具えている。
【００１８】
図２（ａ），（ｂ）および（ｃ）は、ベース板２を示す正面図、下面図および（ａ）のＡ−Ａ線に沿う縦断面図であり、このベース板２は、例えばポリカーボネート等の硬質のプラスチック材料の射出成形あるいは鋼板のプレス成形等により形成され、図示のように、その両側部に位置する二個のボルト孔２ａを有し、それらのボルト孔２ａを貫通するボルトＢによって、図１に示すように、椅子Ｃの脚部Ｌに設けられた脚カバーに締着して脚部Ｌの脇に固定することができる。ベース板２はまたカバー４の装着のために、図２（ａ）では両側の端部の表面に突出して両側端部に沿ってそれぞれ延在する二本の案内突条２ｂを有するとともに、図２（ａ）では上下の端部にそれぞれ形成された掛合突条２ｃを有し、上端部側の掛合突条２ｃは概ねベース板２の全幅に亘って延在し、下端部側の掛合突条２ｃは概ねベース板２の全幅の１／３の長さでベース板２の中央部に延在している。
【００１９】
図３（ａ），（ｂ）および（ｃ）は、複数のＬＥＤ３をプリント基板５ａ上に搭載したＬＥＤユニット５を示す正面図、下面図および側面図であり、図示例のＬＥＤユニット５では１０個のＬＥＤ３が、細長いプリント基板５ａの表側にその長手方向に沿って一列に並べて搭載されて、そのプリント基板５ａの裏側のプリント配線および電気部品からなる図示しない電気回路を介し、互いに並列に接続されるとともに、プリント基板５ａの一端部（図３（ａ），（ｂ）では左端部）の給電端子５ｂに接続されている。なお、この実施例ではプリント基板５ａは、ベース板２上に傾けて位置決め搭載し易いように裏側の角部を面取りされている。
【００２０】
かかるＬＥＤユニット５の搭載のためにベース板２は、図２（ａ）では両側部の下端部付近に位置する二個の配線用孔２ｄを有するとともに、二本の案内突条２ｂのそれぞれの図２（ａ）では下端部付近に形成された三個の掛合突起２ｅを有し、図１（ｂ）に示すように、ＬＥＤユニット５のプリント基板５ａは、ベース板２に対し約４５度傾斜して、ＬＥＤ３をベース板２に対し外向きすなわちここでは斜め下向きにした姿勢で、両端部をそれぞれ三個の掛合突起２ｅの間に挟み込まれてベース板２に位置決め固定され、そのプリント基板５ａの給電端子５ｂに接続された給電用コード６は、その給電端子５ｂに近い方の配線用孔２ｄに挿通されて脚部Ｌの内部を通り、当該椅子Ｃが設置された上記劇場等の床下へ導かれて図示しない制御装置に接続され、点灯・消灯および明るさ等をその制御装置により制御される。
【００２１】
図４（ａ），（ｂ）および（ｃ）は、カバー４を示す正面図、下面図および側面図であり、図示のようにこの実施例における概略板状のカバー４は、列番号表示板として機能する概略正方形の正面板部４ａと、その正面板部４ａの外周縁から正面板部４ａに対し概ね直角に曲がって後方へ僅かに延在する概略正方形の枠状部４ｂとからなり、例えばアクリルやポリカーボネート等の硬質かつ弾性的で透明なプラスチック材料から例えば射出成形等により形成される。
【００２２】
このカバー４は、枠状部４ｂの上部および下部の内側面に、ベース板２の図２（ａ）では上下端部にそれぞれ形成された掛合突条２ｃと嵌まり合って掛合する溝部４ｃを有し、ベース板２の両側端部の二本の案内突条２ｂが枠状部４ｂの両側部の内側に入るように配置して、例えば枠状部４ｂの上部の溝部４ｃをベース板２の上端部の掛合突条２ｃに引掛けてから枠状部４ｂの下部を押してその下部の溝部４ｃをベース板２の下端部の掛合突条２ｃに弾性的に嵌め合わせることで、ベース板２に装着固定されて、図１に示すように、ＬＥＤユニット５の複数のＬＥＤ３を全体的に覆う。このとき、ＬＥＤユニット５の複数のＬＥＤ３は、カバー４の厚さ方向の並びを列とし、カバー４の幅方向の並びを行とした場合に、１列かつ複数行（図示例のＬＥＤユニット５では１０行）となる配置で、そのカバー４の図では下端部の内側にそのカバー４の内面に沿って配列される。
【００２３】
このカバー４はまた、正面板部４ａから枠状部４ｂにかけて、ＬＥＤユニット５の複数のＬＥＤ３の正面側すなわち、カバー４の図４（ａ），（ｃ）では下端部に位置する透光部分４ｄと、ＬＥＤユニット５の複数のＬＥＤ３の側方から後側すなわち、カバー４の図４（ａ），（ｃ）では透光部分４ｄより上側の部分を覆う表示板部分４ｅと、を有し、その表示板部分４ｅは、例えば図ではＡの列番号とされている所定の表示形状を外周輪郭として持つ半透明部分４ｆと、その周囲を囲む不透明部分４ｇとを持ち、それら半透明部分４ｆと不透明部分４ｇとの境界が所定の表示形状の輪郭を持つように、半透明部分４ｆは、カバー４を形成しているプラスチックの厚みの内部に透光部分４ｄから入る複数のＬＥＤ３からの光の一部を透過させることによって上記Ａの列番号とされている表示形状を発光表示するように粗い凹凸面等に表面処理をされ、また不透明部分４ｇは、カバー４の板厚方向へ光が透過しないように印刷や塗装等の表面処理をされている。なお、これと逆に表示板部分４ｅのうち不透明部分４ｇが外周輪郭として所定の表示形状を表し、その周囲を半透明部分４ｆが囲むようにして、半透明部分４ｆと不透明部分４ｇとの境界が所定の表示形状の輪郭を持つようにしても良い。
【００２４】
かかる実施例の客席誘導灯１によれば、ベース板２を、そのベース板２の外側へ向けられてカバー４の端部の内側に沿って配列された複数のＬＥＤ３が通路に向くように椅子Ｃの脚部Ｌに固定し、平板状のカバー４でそれらベース板２および複数のＬＥＤ３を覆うことで、そのカバー４の透光部分４ｄを通して複数のＬＥＤ３からの光で通路を照明することができ、またカバー４の厚さ方向に関して１列に配列された幅数ｍｍの複数の小さなＬＥＤ３を平板状のカバー４で覆う構造として、客席誘導灯１を全体の厚さが１０ｍｍ以下の平板状にしており、特には８ｍｍ前後と極めて薄くできるため、椅子Ｃの脚部Ｌの上端の肘を幅広にしなくても通常の肘幅内に収まるので、椅子の脚部等の設計の自由度を過大に制約することがない。
【００２５】
また、そのカバー４が、所定の表示形状として列番号を表す半透明部分４ｆおよびそれを囲繞する不透明部分４ｇを持つ表示板部分４ｅを有し、その半透明部分４ｆが、透光部分４ｄからカバー４の内部に入る複数のＬＥＤ３からの光の一部を透過させることによって表示形状として列番号を表示することから、当該客席誘導灯１が列番号表示板を兼ね、列番号表示板と客席誘導灯１との干渉の問題がなくなるため、列番号表示板を適度に大きくでき、しかも列番号を照明表示できるので、列番号の視認性を向上させることができる。
【００２６】
さらにこの実施例の客席誘導灯１によれば、カバー４は、アクリルやポリカーボネート等の透明なプラスチックから形成され、透光部分４ｄは透明なままにされ、半透明部分４ｆは半透明となるよう凹凸面等に表面処理され、不透明部分４ｇは不透明となるよう塗装等で表面処理されるので、射出成形等で半透明部分４ｆ以外を透明に形成したカバー材料の不透明部分とする部分に塗装を施すことで、容易にカバー４を製造することができる。
【００２７】
以上、図示例に基づき説明したが、この発明は上述の例に限定されるものでなく、特許請求の範囲の記載範囲内で適宜変更し得るものであり、例えば、前記カバーは、透明なプラスチックおよび不透明なプラスチックから形成され、前記透光部分は透明なプラスチックで形成され、前記半透明部分は透明なプラスチックで形成されて半透明となるよう表面処理され、前記不透明部分は不透明なプラスチックで形成されていても良い。さらに、前記透光部分は、透明なプラスチックで形成される代わりに開口部とされていても良い。そして、カバーの平面輪郭形状は、例えば一般的な矩形や円形、長円形、楕円形、多角形等の幾何学的形状の他、動植物等の自然物や自動車等の人工物の形状等、任意に選択することができる。
【００２８】
また、前記複数のＬＥＤを有するＬＥＤユニットは、カバー端部に沿って延在する細長い棒状をなすものでも良く、また、複数のＬＥＤをＬＥＤの前後方向に関して二列以上に並べたものでも良い。そして、この発明の通路灯は、客席誘導灯でなく、例えば壁面等に設けられるものであって、前記表示形状が例えば出入口の方向等、列番号以外のものを示すものであっても良く、その場合にもその薄さと視認性の高さとを生かせるので好ましい。
【００２９】
さらにこの発明の通路灯は、上下にそれぞれ向けて設けたＬＥＤの電気的切り替えや、ＬＥＤユニットの端部やＬＥＤユニットに沿わせて設けた遮光板に付けた操作つまみ等によるＬＥＤの向きあるいは遮光板の位置の機械的変更によって、通路等の設置状況等に応じて通路を照明する機能と所定の表示形状を照明表示する機能との何れか一方または両方を選択できるように構成しても良い。
【産業上の利用可能性】
【００３０】
かくしてこの発明の通路灯によれば、客席誘導灯として椅子の脚部の脇に設ける場合に、ベース板を、そのベース板の外側へ向けられてカバーの一端部の内側に配置された１個または複数個のＬＥＤが通路に向くように椅子の脚部に固定し、平板状のカバーでそれらベース板およびＬＥＤを覆うことで、そのカバーの透光部分を通してＬＥＤからの光で通路を照明することができ、また、１個または、カバーの厚さ方向の並びを列としカバーの幅方向の並びを行とした場合に１列かつ複数行となる配置とされた幅数ｍｍの複数個の小さなＬＥＤを平板状のカバーで覆う構造により、当該通路灯が、全体の厚さが１０ｍｍ以下の平板状をなしており、その厚さを、特には８ｍｍ前後と極めて薄くできるため、椅子の脚部の上端の肘を幅広にしなくても通常の肘幅内に収まるので、椅子の脚部等の設計の自由度を過大に制約することがない。
【００３１】
また、そのカバーが、半透明部分および不透明部分を持つ表示板部分を有し、それら半透明部分と不透明部分との境界が、所定の表示形状の輪郭を持ち、その半透明部分が、ＬＥＤからカバーの厚みの内部やカバーの内側に入った光の一部を透過させることから、その表示形状で例えば数字や文字や記号やそれらの組み合わせからなる列番号を表示することで、当該通路灯が列番号表示板を兼ね、列番号表示板と客席誘導灯との干渉の問題がなくなるため、列番号表示板を適度に大きくでき、しかも半透明部分の光で列番号を照明表示できるので、列番号の視認性を向上させることができる。
【符号の説明】
【００３２】
１  客席誘導灯
２  ベース板
２ａ  ボルト孔
２ｂ  案内突条
２ｃ  掛合突条
２ｄ  配線用孔
２ｅ  掛合突起
３  ＬＥＤ
４  カバー
４ａ  正面板部
４ｂ  枠状部
４ｃ  溝部
４ｄ  透光部分
４ｅ  表示板部分
４ｆ  半透明部分
４ｇ  不透明部分
５  ＬＥＤユニット
５ａ  プリント基板
５ｂ  給電端子
６  給電用コード
１１  客席誘導灯
１２  器具ベース
１３  ソケット
１４  小型電球
１５  カバー
Ｂ  ボルト
Ｃ  椅子
Ｌ  脚部
Ｓ  支持構体
【図１】
0005680378.tif 000002
【図２】
0005680378.tif 000003
【図３】
0005680378.tif 000004
【図４】
0005680378.tif 000005
【図５】
0005680378.tif 000006